(57)【要約】【課題】  折畳みカードを提供する。【解決手段】  第１折片部１１と、第２折片部１２と、第３折片部１３と、接続片部１４と、第１折曲部１５と、第２折曲部１６と、第３折曲部１７とを備える。第２折片部１２は中央に通穴１２１を有する。接続片部１４は、第２折片部１２の通穴１２１を貫通可能である。第１折曲部１５は、要部の他端と第１折片部１１の一端とを接続し、第１折片部１２の一端の中央位置に形成される。第２折曲部１２は、第１折片部１１の他端と第２折片部１２の一端とを接続する。第３折曲部１７は、第２折片部１２の他端と第３折片部１３の一端とを接続する。第１折片部１１と第２折片部１２と第３折片部と接続片部１４とは互いに対応となる幅を有する。【選択図】図１
2011515238.tif 000002
【特許請求の範囲】
【請求項１】
一体形成される折畳みカードであって、
第１折片部と、
中央に通穴を有する第２折片部と、
第３折片部と、
前記第２折片部の前記通穴を貫通可能な接続片部と、
前記要部の他端と前記第１折片部の一端とを接続し、前記第１折片部の一端の中央位置に形成される第１折曲部と、
前記第１折片部の他端と前記第２折片部の一端とを接続する第２折曲部と、
前記第２折片部の他端と前記第３折片部の一端とを接続する第３折曲部とを備え、
前記第１折片部と前記第２折片部と前記第３折片部と前記接続片部とは互いに対応となる幅を有することを特徴とする折畳みカード。
【請求項２】
前記接続片部は、要部、および前記要部の一端から張り出す接合部を含み、前記接合部と前記要部とは第４折曲部によって接続され、前記接続片部の前記接合部は前記第３折片部の裏面に接合可能であることを特徴とする請求項１に記載の折畳みカード。
【請求項３】
前記接続片部の前記接合部は前記第３折片部の裏面に接着することにより組み立てることを特徴とする請求項２に記載の折畳みカード。
【請求項４】
前記接続片部の前記接合部は前記第３折片部の裏面に掛け合うことにより組み立てることを特徴とする請求項２に記載の折畳みカード。
【請求項５】
前記第１折片部、前期第２折片部、前記第３折片部、および、前記連接片部の表面に絵模様を配置することを特徴とする請求項１に記載の折畳みカード。
【請求項６】
前記第１折片部の裏面の縦方向中央、前記第２折片部の表面の前記挿通孔の縦方向両側、前記第３折片部の表面の縦方向両側、および、前記連接片部の裏面に第１絵模様部を形成し、また、前記第１折片部の裏面の縦方向両側、前記第２折片部の裏面の前記挿通孔の縦方向両側、前記第３折片部の表面の縦方向中央、および、前記連接片部の表面に第２絵模様部を形成することを特徴とする請求項５に記載の折畳みカード。
【発明の詳細な説明】
【技術分野】
【０００１】
本発明は、折畳みカードに関し、特に、異なる方向から裏返すことで異なる態様の折畳みカードを形成できるものに関する。
【背景技術】
【０００２】
従来の折畳みカード折畳みカードは、主に開き、閉じ合わせることができ、且つ当該折畳みカード表面に絵模様を書き、折畳みカードが開いた時、当該絵模様を観賞することができる。例えば、招待状、メニューの折畳みカードを開くと折畳みカード内側の絵模様（絵或いは文字）内容が現れ、また折畳みカードは物体の挟持のためにも使用できる。
【０００３】
しがしながら、上述した折畳みカードは固定絵模様のみで開かれ、且つ変化がないという欠点を有し、このため、デザイナーが前記の欠点を改善するため、特許文献１の構造をデザインした。その構造は図１１、図１２に示ように、両挟持体１’、２’、三連結ゾーン３１’、３２’、３３’を備え、且つ該両挟持体１’、２’を開いた時、連結ゾーン３１’の両端部３１１’、３１２’がそれぞれ挟持体１’外側１１’の中央及び挟持体２’内側２２’の中央位置と接合させる。また連結ゾーン３２’、３３’の一側の端部３２１’、３３１’及び他側の端部３２２’、３３２’をそれぞれ挟持体２’外側２１’及び挟持体１’内側１２’と接合させ、且つ連結ゾーン３１’の端部３１２’を両連結ゾーン３２’、３３’の中央に位置させる。前記接合方法は、接着、縫合などの方法で接合され、組み立てた後の両挟持体１’、２’が閉じ合わせ或いは開かせることができ、並びに図１３に示すように両挟持体１’、２’が異なる方向から裏返（矢印ｘ、ｙ方向）されると共に、異なった開くビジュアル感覚を表現させることができる。
【０００４】
しかし、上述した折畳みカードは、両挟持体１’、２’を更にそれぞれ三連結ゾーン３１’、３２’、３３’と組み立てなければならないため、組立上の不便が生じ、且つ組み立てた後、いずれかの連結ゾーンが堅牢に接合されていなかった場合、該組立折畳みカード全体を損壊して使用できなくなり、並びに組立の安定性、信頼性が不良になるという欠点がある。また、必ずそれぞれ連結ゾーン３１’、３２’、３３’の前後表面に絵模様を配置することで顕著な絵模様変化のビジュアル感覚を持つことができるため、絵模様配置が不便になるという欠点がある。
【先行技術文献】
【特許文献】
【０００５】
【特許文献１】台湾第０９５１２７９１３号
【発明の概要】
【発明が解決しようとする課題】
【０００６】
これにより、本発明は、異なる方向の裏返しによって異なる絵模様のビジュアル感覚を有し、且つ組立が便利、安定、信頼性が高い一体成型の折畳みカードを提供することを目的とする。
【課題を解決するための手段】
【０００７】
請求項１に記載の発明によると、折畳みカードは一体形成され、第１折片部と、第２折片部と、第３折片部と、接続片部と、第１折曲部と、第２折曲部と、第３折曲部とを備える。第２折片部は中央に通穴を有する。接続片部は、要部、および要部の一端から張り出す接合部を含み、第２折片部の通穴を貫通可能である。第１折曲部は、要部の他端と第１折片部の一端とを接続し、第１折片部の一端の中央位置に形成される。第２折曲部は、第１折片部の他端と第２折片部の一端とを接続する。第３折曲部は、第２折片部の他端と第３折片部の一端とを接続する。第１折片部と第２折片部と第３折片部と接続片部とは互いに対応する幅を有する。要部と接合部とは第４折曲部によって接続され、接続片部の接合部は第３折片部の裏面に接合可能である。
【０００８】
該接続片部の接合部は第３折片部の裏面に接着することにより組み立てる。
【０００９】
該接続片部の接合部は第３折片部の裏面に掛かり合うことにより組み立てる。
【００１０】
該第１乃至第３折片部、および接続片部の表面に絵模様を配置する。
【００１１】
該第１折片部の裏面中央が接続片部に対応する水平方向位置、第２折片部の表面が挿通孔に対応する上下部位置、第３折片部の表面が接続片部に対応する水平方向の上下部位置、接続片部の裏面に第１絵模様部を形成する。第１折片部の裏面が接続片部に対応する水平方向の上下位置、第２折片部の裏面が挿通孔に対応する上下部位置、第３折片部の表面中央が接続片部に対応する水平方向位置、接続片部の表面に第２絵模様部を形成する。
【００１２】
こうすることで、本発明は組立時第２、３折曲部を反対方向に折り曲げられ、並びに第１折曲部が折り曲げられることで接続片部を第２折片部の通孔に挿通させると共に接続片部の一端部にある接合部と第３折片部の裏面とを接着或いはその他の適当な方法により組み立てられ、組み立てられた後、第３折曲部から開いた時第１絵模様部が現れることができる。また、第１折片部と第２折片部の間及び第３折片部と接続片部の間に物を挟持することができる。また第２折曲部が開いた時第２絵模様部が現れることができ、この場合、接続片部の接合部が本体の中央に位置し、且つ第２折片部と第３折片部との間及び第１折片部と接続片部との間に物体を挟持することができる。本発明は異なる方向の裏返しにより異なる絵模様または物体の挟持が変化したビジュアル感覚を持たせ、且つ本発明は一体成型の設計となるため、部品点数を低減すると共に組立の利便性、絵模様配置の利便性を増進し、並びに組み立てた完成品に好ましい安定性を持たせることができる。
【図面の簡単な説明】
【００１３】
【図１】本発明の折畳みカードを示す平面図である。
【図２】本発明の折畳みカードを示す斜視図である。
【図３】本発明の折畳みカードを示す斜視図である。
【図４】本発明の折畳みカードを示す側面図である。
【図５】本発明の折畳みカードを示す斜視図である。
【図６】本発明の折畳みカードを示す斜視図である。
【図７】本発明の折畳みカードを示す側面図である。
【図８】本発明の折畳みカードを示す斜視図である。
【図９】本発明の折畳みカードを示す斜視図である。
【図１０】本発明の折畳みカードを示す斜視図である。
【図１１】従来の折畳みカード分解図である。
【図１２】従来の折畳みカード斜視図である。
【図１３】従来の折畳みカード側面図である。
【発明を実施するための形態】
【００１４】
本発明の一実施形態による折畳みカードを図面に基づいて説明する。
（一実施形態）
図１に示すように、本実施形態の折畳みカードは、一体形成されるカード本体１０からなり、紙質、プラスチック、或いは、その他の折り曲げ可能な材質で形成される。カード本体１０は、第１折片部１１、第２折片部１２、第３折片部１３、および接続片部１４を備える。第１折片部１１、第２折片部１２、第３折片部１３は略対応する幅を有する。接続片部１４に接続するため第１折片部１１の一端側の中央位置に第１折曲部１５が設置され、第２折片部１２の一端に接続するため、第１折片部１１の他端側に第２折曲部１６が設置される。また、第３折片部１３の一端に接続するため、第２折片部１２の他端側に第３折曲部１７が設置される。また、該接続片部１４の要部の幅cは、前記第１折片部１１の幅dに略対応する。接続片部１４は要部の一端に張り出す接合部１４１を設け、接合部１４１と要部との間に第４折曲部１４２を設置する。また第２折片部１２の中央位置に接続片部１４を挿通できる挿通孔１２１を設ける。
【００１５】
本実施形態の第１折片部１１、第２折片部１２、第３折片部１３、接続片部１４の表面に絵模様を配置することができ、絵模様は絵或いは文字とすることができる。ここで、図１の長手方向を横方向とし、図１の短手方向を縦方向とする。また、接続片部１４に対応する第１折片部１１の裏面の縦方向中央にＡ２、第２折片部１２の表面の挿通孔１２１の縦方向両側にＡ１およびＡ３、第３折片部１３の表面の縦方向両側にＡ４およびＡ６、接続片部１４の裏面にＡ５を形成する。ここでＡ１〜Ａ６を第１絵模様部とする。また図中に表示するＡ１、Ａ３、Ａ４、Ａ６が表面に設けた絵模様で、点線で表示されたＡ２、Ａ５が裏面に配置された絵模様とする。
【００１６】
また、接続片部１４に対応する第１折片部１１の裏面の縦方向両側にＢ４およびＢ６、第２折片部１２の裏面の挿通孔１２１の縦方向両側にＢ１およびＢ３、接続片部１４に対応する第３折片部１３の表面中央にＢ２、接続片部１４の表面にＢ５を形成する。ここでＢ１〜Ｂ６を第２絵模様部とする。また図中に表示するＢ２、Ｂ５が表面に配置された絵模様で、点線で表示されたＢ１、Ｂ３、Ｂ４、Ｂ６が裏面に配置された絵模様とする。
【００１７】
図１から図３に示すように、本実施形態は組立時、第２折曲部１６と、第３折曲部１７とが互いに反対方向に折り曲げられ、並びに第１折曲部１５が折り曲げられることで接続片部１４を第２折片部１２の挿通孔１２１に挿通させると共に、接続片部１４の端部にある接合部１４１と第３折片部１３の裏面と接着して組み立てることができる。
【００１８】
図４、図５を参照にしながら説明する。図４は、本実施形態を折畳み合わせた後の略拡張形状を示す。本実施形態を組み立てられた後、第３折曲部１７から開いた時第１絵模様部Ａ１〜Ａ６を現すことができ、またこの場合、接続片部１４の接合部１４１が本体１０の外側に位置する。また図６に示すように、第１折片部１１と第２折片部１２との間及び第３折片部１３と接続片部１４との間に物体２（例えば、薄い紙またはその他の物体）を挟持することができる。
【００１９】
図７から図９を参照にしながら説明する。図７は、本実施形態を折畳み合わせた後の略拡張形状を示す。本実施形態を裏返しとなることで第２折曲部１６が開いた時第２絵模様部Ｂ１〜Ｂ６が現れることができ、この場合、接続片部１４の接合部１４１が本体１０の中央に位置し、且つ図１０に示すように、第２折片部１２と第３折片部１３との間及び第１折片部１１と接続片部１４との間に物体２を挟持することができる。
【００２０】
前述により、本実施形態は異なる方向に裏返しすることにより異なる絵模様または物体挟持が変化したビジュアル感覚を持たせ、且つ本実施形態は一体成形の設計となるため、部品を減少すると共に組立の利便性を増進し、並びに組み立てた完成品が好ましい安定性を持たせることができる。また本実施形態は、本体の裏面、表面にそれぞれ異なる絵模様を印刷すると、本体を裏返しする時に異なるビジュアル感覚を持たせることができる。また、本実施形態が容易に加工、印刷することができるため、絵模様印刷の利便性を大幅に増進することができる。
【００２１】
その他、本実施形態の接続片部の接合部及び第３折片部の対応位置に掛合体、掛合孔またはそれぞれ掛合具を設置し、掛合して組み立てる（図示せず）ことができ、接着する必要がなく、好適な組立の利便性を持つことができる。前記構造は、本発明の実施形態であって、本発明の実施範囲に限定されることなく、本発明に基づいて行う種々の改良変更をなし得ることは本発明の設計の範囲内に含めるものであるのが勿論である。
【符号の説明】
【００２２】
１０        ・・・本体、
１１        ・・・第１折片部、
１２        ・・・第２折片部、
１２１      ・・・挿通孔、
１３        ・・・第３折片部、
１４        ・・・接続片部、
１４１      ・・・接合部、
１４２      ・・・第４折曲部、
１５        ・・・第１折曲部、
１６        ・・・第２折曲部、
１７        ・・・第３折曲部、
２          ・・・物体、
Ａ１〜Ａ６  ・・・第１絵模様部、
Ｂ１〜Ｂ６  ・・・第２絵模様部、
１’        ・・・挟持体、
１１’      ・・・外側、
１２’      ・・・内側、
２’        ・・・挟持体、
２１’      ・・・外側、
２２’      ・・・内側、
３１’      ・・・連結ゾーン、
３１１’    ・・・端部、
３１２’    ・・・端部、
３２’      ・・・連結ゾーン、
３２１’    ・・・端部、
３２２’    ・・・端部、
３３’      ・・・連結ゾーン、
３３１’    ・・・端部、
３３２’    ・・・端部。
【図１】
2011515238.tif 000003
【図２】
2011515238.tif 000004
【図３】
2011515238.tif 000005
【図４】
2011515238.tif 000006
【図５】
2011515238.tif 000007
【図６】
2011515238.tif 000008
【図７】
2011515238.tif 000009
【図８】
2011515238.tif 000010
【図９】
2011515238.tif 000011
【図１０】
2011515238.tif 000012
【図１１】
2011515238.tif 000013
【図１２】
2011515238.tif 000014
【図１３】
2011515238.tif 000015
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
一体形成される折畳みカードであって、
第１折片部と、
中央に通穴を有する第２折片部と、
第３折片部と、
要部、および前記要部の一端から張り出す接合部を含み、前記第２折片部の前記通穴を貫通可能な接続片部と、
前記要部の他端と前記第１折片部の一端とを接続し、前記第１折片部の一端の中央位置に形成される第１折曲部と、
前記第１折片部の他端と前記第２折片部の一端とを接続する第２折曲部と、
前記第２折片部の他端と前記第３折片部の一端とを接続する第３折曲部とを備え、
前記第１折片部と前記第２折片部と前記第３折片部と前記接続片部とは互いに対応する幅を有し、
前記要部と前記接合部とは第４折曲部によって接続され、前記接続片部の前記接合部は前記第３折片部の裏面に接合可能であることを特徴とする折畳みカード。
【請求項２】
前記接続片部の前記接合部は前記第３折片部の裏面に接着することにより組み立てることを特徴とする請求項１に記載の折畳みカード。
【請求項３】
前記接続片部の前記接合部は前記第３折片部の裏面に掛かり合うことにより組み立てることを特徴とする請求項１に記載の折畳みカード。
【国際調査報告】
2011515238.tif 000016
2011515238.tif 000017
2011515238.tif 000018
2011515238.tif 000019
2011515238.tif 000020
2011515238.tif 000021